(57)【特許請求の範囲】
【請求項１】
誘電体層と前記誘電体層を上下から挟む２枚の導体層を含む基板上に実装された平面型のアンテナ装置であって、上側の導体層を用いてそれぞれ構成される、
先端部分においてビアを介して下側の導体層からなるグランドに接地された第１の放射素子と、
先端部分が開放された第２の放射素子と、
前記第１及び第２の放射素子をそれぞれ根元部分において抵抗を介して接続する第１及び第２のグランド導体と、
前記第１及び第２の放射素子への給電線と、
を具備し、
前記第１及び第２の放射素子の各々の長さＬを実効波長λgの４分の１未満とし、前記第１及び第２の放射素子の各々の線路幅Ｗを前記第１及び第２の放射素子によって構成されるＬＣ共振回路のインピーダンスがほぼ１３７［Ω］となる線路幅ｗ137以上で且つ前記第１及び第２の放射素子が離間した幅ｗ５の２分の１未満とする、
ことを特徴とするアンテナ装置。
【請求項２】
前記第１及び第２の放射素子は、給電線のインピーダンスを考慮した適当な抵抗値からなる抵抗を介して前記給電線へ接続される、
ことを特徴とする請求項１に記載のアンテナ装置。
【発明の詳細な説明】
【技術分野】
【０００１】
本発明は、無線信号の送受信に用いられるアンテナ装置に係り、特に、絶縁性物質を介在物として放射導体とグランド導体とを対向して配置するという単純な平面導体の組み合わせからなるアンテナ装置に関する。
【０００２】
さらに詳しくは、本発明は、例えば導体、誘電体、導体の多層構造からなる一般的なプリント基板材料などの上で実装可能な平面構造のアンテナ装置に係り、特に、放射導体の面積を削減し且つ広帯域特性を示す平面構造のアンテナ装置に関する。
【背景技術】
【０００３】
電波通信方式を利用した無線通信では、空中線（アンテナ）に電流を流した際に発生する放射電界を利用して信号を伝搬させるものである。アンテナにはさまざまな形式があるが、広帯域特性を持つアンテナは、ＵＷＢ（Ｕｌｔｒａ  Ｗｉｄｅ  Ｂａｎｄ）のような超広帯域な周波数帯域に拡散して送受信を行なう通信に利用することができる。また、小型のアンテナは、無線機器の小型軽量化に貢献する。
【０００４】
特に薄型の要求に応えるアンテナ構成として、絶縁性物質を介在物として放射導体と地導体板とを対向して配置することにより構成したアンテナ装置、すなわちマイクロストリップ・パッチ・アンテナ（以下では単に「パッチ・アンテナ」と略す）が挙げられる。放射導体の形状は、特に決まりはないが、大体において矩形若しくは円形が用いられている。放射導体と導体地板との間に介在させる絶縁性物質の厚みは概ね、無線周波数の波長の１／１０以下とされ、極めて薄型に構成できる。また、マイクロストリップ・パッチ・アンテナは、両面銅張りの絶縁性物質基板をエッチング加工して製造することができるなど、比較的に簡単に製造することができる。つまり、マイクロストリップ・パッチ・アンテナは、製造が比較的に容易である。
【０００５】
例えば、放射導体と地導体を導通する短絡導体板を所望外のモードの励振を抑制する位置に適宜配設して帯域端における放射パターンの乱れを抑制するとともに、放射導体板と地導体板との隙間を磁性体層と空層を交互に挟んだ複層構造として比誘電率が１以上の磁性体の適用を可能にして、広帯域幅において単一指向性を持つ磁性体マイクロストリップ・パッチ・アンテナについて提案がなされている（例えば、特許文献１を参照のこと）。
【０００６】
通常のプリント基板は、薄い誘電体板を上下から２枚の導体板で挟んだ構造をしているが、下側の導体板をグランド（ＧＮＤ）として使うとともに上側の導体板を矩形又は円形に形設して、上側の導体板に給電する構造をとることによって、パッチ・アンテナを構成することができ、回路基板との一体化が容易である。
【０００７】
図１０及び図１１には、プリント基板上に形成されたパッチ・アンテナの代表的な構成例を示している（但し、図１０はパッチ・アンテナを横から見た断面図であり、図１１は斜め上方から眺めた図である）。プリント基板の導体層には例えば銅や銀などが用いられ、誘電体層には例えばガラスエポキシ樹脂やテフロンなどが用いられる。図１０並びに図１１に示すような導体層で誘電体層を挟んだ基板構成では裏表の両面基板であるが、多層基板（導体、誘電体、導体、誘電体など）を用いることもできる。
【０００８】
図示の通り、パッチ・アンテナは、不平衡給電型の平面アンテナということができ、通常は上側の導体板からなるアンテナ（放射素子）を共振器として捉えて設計される。また、導体板の端縁に沿って流れる電流は誘電体を挟んだ平行伝送線路の電流と同じであると考えられるから、誘電体の比誘電率の応じた波長短縮効果がある。放射素子の長さＬと放射素子の幅Ｗが等しいとすると、パッチ・アンテナは次式（１）で設計される。
【０００９】
【数１】
0004968033.tif 000002
【００１０】
ここで、εeffは誘電体基板の実効誘電率であり、λgは実効波長である。実効誘電率εeffは、誘電体基板の誘電率及び厚さと、アンテナの幅Ｗ（＝アンテナの長さＬ）の値から決定することができる。上式（１）から、アンテナ（放射素子）の長さや幅を実効波長λgの半分にすることで共振させ、共振周波数の電波が放射されることが分かる。なお、Ｗ×Ｌの放射素子の中心からオフセットした位置に給電点を配設することで、インピーダンスの整合をとることができる。
【００１１】
誘電体基板の実効誘電率εeffは、基板の誘電率と厚さｈと放射素子の幅Ｗの値から決定することができる。したがって、誘電体基板の誘電率を大きくすることで、波長短縮効果によりパッチ・アンテナを小型化することができる。
【００１２】
しかしながら、誘電率には限界があり、パッチ・アンテナは実質的にはＷ×Ｌの占有面積がプリント基板上に必要となる。何故ならば、パッチ・アンテナの場合、Ｗを大きく採ることによってアンテナのインピーダンスを低下させて広帯域化を図ることから、大面積化を招来する。
【００１３】
また、誘電体多層基板上でアンテナ背面にグランドを持つ平面パッチ・アンテナは、一般に狭帯域になる（放射素子をなす導体板の端縁に沿って流れる電流は、誘電体層を挟んだ平行伝送線路の電流と同じと考えられ、その波長は誘電体の比誘電率に支配される。すなわち、送受信可能の電波周波数帯域が、その一定の誘電率に支配される狭い範囲のものに限定される）。パッチ・アンテナで放射できる周波数成分は、上式（１）で示した実効波長λgから下式（２）によって決まる周波数ｆとその高調波成分であるが、広帯域を示すものではない。
【００１４】
【数２】
0004968033.tif 000003
【００１５】
従来の無線通信技術の多くは遠方と通信することを前提にしていたため、アンテナは遠方界の振る舞いのみを考慮すれば充分であった。ところが、近年では至近距離通信が前提となる場合も多くなり、通信距離が波長以下となるアンテナの近傍界での現象を捉える必要が出てきている。
【００１６】
近年の通信システムを狭帯域通信と広帯域通信に分けるとすると、パッチ・アンテナは、一般に狭帯域化し易いため、動作可能帯域が広帯域である必要のあるＰＡＮシステムなどには不向きであるとされている。設計パラメータにも因るが、ＶＳＷＲ２以下の帯域幅は、概ね数％のオーダーとなる。かかる欠点のために、パッチ・アンテナは広帯域通信では使えない。
【００１７】
誘電体多層基板上でアンテナ背面にグランドを持つと狭帯域になることから、従来のパッチ・アンテナにおいて広帯域性を確保するには、グランドをアンテナ背面に持たない構造が一般的に採られるが、このような場合、電子機器の筺体構造設計が複雑化する。
【００１８】
【特許文献１】特開２００５−２７８０６７号公報
【発明の開示】
【発明が解決しようとする課題】
【００１９】
本発明の目的は、導体、誘電体、導体の多層構造からなる一般的なプリント基板材料などの上で実装可能となる、平面構造の優れたアンテナ装置を提供することにある。
【００２０】
本発明のさらなる目的は、放射導体の面積を削減し且つ広帯域特性を示すことができる、平面構造の優れたアンテナ装置を提供することにある。
【課題を解決するための手段】
【００２１】
本発明は、上記課題を参酌してなされたものであり、誘電体層と前記誘電体層を上下から挟む２枚の導体層を含む基板上に実装された平面型のアンテナ装置であって、上側の導体層を用いてそれぞれ構成される、
先端部分においてビアを介して下側の導体層からなるグランドに接地された第１の放射素子と、
先端部分が開放された第２の放射素子と、
前記第１及び第２の放射素子をそれぞれ根元部分において抵抗を介して接続する第１及び第２のグランド導体と、
前記第１及び第２の放射素子への給電線と、
を具備することを特徴とするアンテナ装置である。但し、前記第１及び第２の放射素子は、給電線のインピーダンスを考慮した適当な抵抗値からなる抵抗を介して前記給電線へ接続されるものとする。
【００２２】
薄型の要求に応えるアンテナ装置としてパッチ・アンテナが知られており、薄い誘電体板を上下から２枚の導体板で挟んだ構造をなす通常のプリント基板の下側の導体板をグランドとして使うとともに、上側の導体板にエッチングなどの加工を施して放射素子を形成することでパッチ・アンテナを製作することができる。
【００２３】
しかしながら、パッチ・アンテナはその実効波長λgが放射導体の幅Ｗ及び長さＬといった導体サイズで決定されることから、一般的に狭帯域化し易く、広帯域通信には不向きとされている。また、近年では至近距離通信を行なう機会が増えていることから、通信距離が波長以下となるアンテナの近傍界での現象を捉える必要がある。
【００２４】
これに対し、本発明に係るアンテナ装置は、パッチ・アンテナと同様に誘電体層とこの誘電体層を上下から挟む２枚の導体層で構成されるが、下側の導体層をグランドとして使う一方、上側の導体層では、オープン端とグランド端という周波数変化に対し逆の動作をそれぞれ行なう第１及び第２の放射素子が形成されている。
【００２５】
アンテナを伝送線路として捉えると、広帯域化を図るには、電力伝送という観点からは、広い帯域にわたってインピーダンス整合を取り、反射を防ぐ必要がある。本発明に係るアンテナ装置の場合、第１及び第２の放射素子はＬＣ回路を構成することから、インピーダンス変換器として適用することができる。オープン端となる第１の放射素子のみでは、使用帯域が変わるとインピーダンスは変わりインピーダンス不整合となってしまうが、グランド端となる第２の放射素子と組み合わせることによって、インピーダンスの変化が相殺され、広い帯域にわたってインピーダンス整合を保つ効果が期待される。
【００２６】
ここで、第１及び第２の放射素子がＬＣ共振回路として動作するための一般的な長さＬは、実効波長λgの４分の１である。また、第１及び第２の放射素子の幅は、ＬＣ回路としてインピーダンス整合を実現するときの線路幅以上であれば充分である。
【００２７】
一般的なアンテナは、放射素子でインピーダンス整合をとると広帯域化には対応しない。また、従来のパッチ・アンテナは、放射素子の線路幅Ｗを大きくとって放射素子におけるインピーダンスを低下させることよって広帯域化を実現するので、大面積化を招来する。これに対し、本発明に係る平面アンテナは、オープン端とグランド端という周波数変化に対して逆の動作を行なう２つの放射素子を組み合わせ、これらで構成されるＬＣ回路のインピーダンスＺtransでインピーダンスが整合するように線路幅Ｗを決定すればよい。すなわち、広帯域化を図るために放射素子の線路幅Ｗを大きくする必要はなく、放射導体の面積を削減し且つ広帯域特性を示すことができる。
【発明の効果】
【００２８】
本発明によれば、導体、誘電体、導体の多層構造からなる一般的なプリント基板材料などの上で実装可能となる、平面構造の優れたアンテナ装置を提供することができる。
【００２９】
また、本発明によれば、放射導体の面積を削減し且つ広帯域特性を示すことができる、平面構造の優れたアンテナ装置を提供することができる。
【００３０】
本発明に係るアンテナ装置は、プリント基板材料上に実装される平面アンテナであるが、伝送帯域の最低周波数で決まる波長の４分の１よりも短い長さからなる２つの放射素子を持つので、実効波長λgで定まるＷ×Ｌのサイズを持つ従来のパッチ・アンテナに比べ、アンテナ占有面積を削減することができる。
【００３１】
ここで、一方の放射素子の先端は接地され、他方の放射素子の先端は開放されているが、各放射素子の幅を給電する線路幅の２分の１よりも狭くすることによって、アンテナ占有面積縮小の効果をさらに上げることができる。
【００３２】
本発明に係るアンテナ装置を用いて無線通信機を構成することで、近接距離での広帯域通信が求められる近年の通信システムにおいて、高速且つ大容量の通信を行なうときに使用することができる。
【００３３】
本発明のさらに他の目的、特徴や利点は、後述する本発明の実施形態や添付する図面に基づくより詳細な説明によって明らかになるであろう。
【発明を実施するための最良の形態】
【００３４】
以下、図面を参照しながら本発明の実施形態について詳解する。
【００３５】
図１には、本発明の一実施形態に係るアンテナ装置を上から眺めた様子を示している。図示のアンテナ装置は、２つの放射素子３０７及び３０８と、一方の放射導体３０８の先端を下層のグランド（図示しない）に接地するビア３０９と、各放射素子３０７及び３０８をその根元部分において抵抗３０６及び３０５を介してそれぞれ接続するグランド導体３０３及び３０２と、各放射導体３０７及び３０８への給電線３０１で構成される。このアンテナ装置は、パッチ・アンテナと同様に、薄い誘電体層を上下から２枚の導体層で挟んだプリント基板上に実装することができる平面アンテナである。導体層には例えば銅や銀などが用いられ、誘電体層には例えばガラスエポキシ樹脂やテフロン（登録商標）などが用いられる。また、給電線３０１は、例えば、マイクロストリップ・ラインやコプレーナ・ラインや同軸ケーブルなどである。
【００３６】
図２には、伝送線路を抽象化して示している。図示のように、伝送線路は、信号源Ｖccと負荷インピーダンスＺからなり、信号電流ＩはインピーダンスＺを介してグランドに流れ込む。そして、負荷インピーダンスＺを信号源のインピーダンスＺccと等しくすることで、理想的な電力伝送が実現することが知られている。アンテナからの伝搬路を図２に示した伝送線路に当てはめると、負荷インピーダンスは真空のインピーダンス（１２０π［Ω］）ということになる。
【００３７】
図１に示した平面アンテナの場合、一方の放射素子３０７は開放端となるスタブからなり、下側のグランド導体との間でキャパシタンスＣとして振る舞うと考えられ、他方の放射素子３０８はグランド端となるスタブからなり、インダクタンスＬとして振る舞うと考えられる。各放射素子３０７及び３０８に発生する電圧波の様子を、図３に示しておく。すなわち、図１に示した平面アンテナの等価回路は図４に示す通りとなり、２つの放射素子３０７及び３０８はＬＣ共振回路を構成することになる。
【００３８】
ここで、このＬＣ回路としてみなせるアンテナのインピーダンスをＺtransとおくと、図１に示した平面アンテナは、図５に示すような伝送線路として捉えることができる。但し、Ｚlineはコプレーナ・ラインなどからなる給電線３０１のインピーダンス（＝５０［Ω］）であり、ＺLは真空のインピーダンス（＝１２０π［Ω］）であるとする。
【００３９】
図５に示した伝送線路では、電力伝送という観点からは、広い帯域にわたってインピーダンス整合をとり、反射を防ぐ必要がある。２つの放射素子３０７及び３０８はＬＣ回路を構成することから、インピーダンス変換器として適用することができる。すなわち、下式（３）が成り立つ。
【００４０】
【数３】
0004968033.tif 000004
【００４１】
上式（３）において、Ｚline＝５０［Ω］、並びにＺL＝１２０π［Ω］を代入すると、以下に示すように、アンテナのインピーダンスＺtransは、広い帯域でほぼ１３７［Ω］になることが好ましいことになる。
【００４２】
【数４】
0004968033.tif 000005
【００４３】
２つの放射素子３０７及び３０８はインピーダンス変換器を構成する。再び図１を参照すると、一方の放射素子３０７はオープン端であり、これのみでは使用帯域が変わるとインピーダンスは変わってしまう。グランド端となる放射素子３０８を組み合わせると、周波数の変化に対し放射素子３０８は放射素子３０７と逆の動きをすることから、インピーダンスの変化が相殺され、広い帯域にわたってアンテナのインピーダンスＺtransをほぼ一定に保つ効果が期待される。
【００４４】
２つの放射素子３０７及び３０８がＬＣ共振回路として動作するための一般的な長さＬは、実効波長λgの４分の１である。また、２つの放射素子３０７及び３０８の幅Ｗは、ＬＣ共振回路としてのインピーダンスＺtransがほぼ１３７［Ω］となるような線路幅ｗ137とすればよい。
【００４５】
一般的なアンテナは、Ｚtransでインピーダンス整合をとるので、広帯域化には向かない。また、従来のパッチ・アンテナ（図１０及び図１１を参照のこと）は、放射素子の線路幅Ｗを大きくとることによって、インピーダンスＺtransを低下させ、これによって広帯域化を実現することができるが、大面積化を招来する。これに対し、本実施形態の平面アンテナは、オープン端とグランド端という周波数変化に対し逆の動作を行なう２つの放射素子３０７及び３０８を組み合わせ、これらで構成されるＬＣ回路のインピーダンスＺtransでインピーダンスが整合するように線路幅Ｗを決定すればよい。すなわち、広帯域化を図るために放射素子の線路幅Ｗを大きくする必要はなく、言い換えれば、放射導体の面積を削減し且つ広帯域特性を示すことができる訳である。
【００４６】
図１に示した平面アンテナの各部の寸法を図６に示す通りにおいて、上記について具体的に説明する。
【００４７】
グランド端となる放射素子３０８の長さＬ１及び幅Ｗ９を、オープン端となる放射素子３０７の長さＬ２及び幅Ｗ７とそれぞれ同じ値にする。そして、２つの放射素子３０７及び３０８をｗ５の幅だけ離間して配置し、それぞれ抵抗３０５及び３０６を介して給電線３０１に接続するようにする。
【００４８】
放射素子３０７及び３０８の各々の長さＬ１、Ｌ２（＝Ｌ）は、下式（５）になるように選ぶ。
【００４９】
【数５】
0004968033.tif 000006
【００５０】
λg／４は、伝送したい周波数の最低周波数にする。
【００５１】
また、放射素子３０７及び３０８の各々の幅Ｗ７、Ｗ９（＝Ｗ）は、下式（６）になるように選べばよい。
【００５２】
【数６】
0004968033.tif 000007
【００５３】
上式（６）において、ｗ137は、平面アンテナが伝送線路としてインピーダンス整合がとれた状態である、アンテナのインピーダンスＺtransの値が約１３７［Ω］（前述）となるときの線路幅である。
【００５４】
したがって、図１に示した平面アンテナによれば、放射素子の面積は最大でｗ５×Ｌ１であり、この値は図１０並びに図１１に示した従来のパッチ・アンテナにおける放射素子の面積Ｗ×Ｌよりも充分小さな値であることを理解されたい。
【００５５】
図７には、図１に示した平面アンテナにおける電波の放射の仕方をシミュレーションした結果を示している。但し、誘電体３１０の表面上で、放射素子３０７に沿った給電方向にｙ軸を、その垂直方向にｘ軸を設けるとともに、当該表面の上方に向かう法線方向にｚ軸を設けた。
【００５６】
図７から、図１に示した平面アンテナは、放射の向きが放射素子への入射の向きに対して逆向きであり、入射方向に対して後ろ向きの指向性があることが判る。
【００５７】
また、図８には、図１に示した平面アンテナの通過特性Ｓ２１を示している。通過特性は、２個のアンテナを配置してその間をどれだけの電力が通過するかを示す量である（周知）。
【００５８】
図示のグラフから、当該平面アンテナは、７ＧＨｚから８ＧＨｚ、９．５ＧＨｚから１２ＧＨｚ、並びに、１６ＧＨｚから２０ＧＨｚで伝送が可能で非常に広帯域な特性を持つことが分かる。通常のパッチ・アンテナの比帯域幅が１０％程度であるのに比べて、図１に示した平面アンテナは７ＧＨｚから８ＧＨｚ、９．５ＧＨｚから１２ＧＨｚ、１６ＧＨｚから２０ＧＨｚの帯域でそれぞれ１３％、２３％、２２％の比帯域幅を持ち非常に広帯域であることが言える。
【００５９】
また、図８には、指向性の向き（すなわち−ｙの向き）にアンテナを配置した場合と、指向性の向きからずらした配置（すなわち−ｙの向きで且つｚ方向にオフセットを与えた所）の場合それぞれの特性を示している。例えば、１０ＧＨｚの付近で、指向性の向きの場合と指向性の向きで無い場合で値に差があることがわかる。この結果からも、指向性の向きがあることと、指向性が通過特性に影響を持つことが分かる。
【００６０】
また、図９には、図１に示した平面アンテナの同図右に示したアンテナ配置における指向性のグラフを同図左に示している。
【００６１】
図示のｘ'−y'で構成され、且つ、z'軸が垂線である面（アンテナ配置図参照）において、＋ｘ'を０度としたときにＰｈｉの向きに回転して、＋ｙ'が９０度、−ｘ'が１８０度、−ｙ'が２７０度とする。同図左側の指向性グラフをみると、メインローブが１８５度にあり、半値角（ａｎｇｕｌａｒ  ｗｉｄｔｈ  ３ｄＢ）が８５度にあることが判る。
【産業上の利用可能性】
【００６２】
以上、特定の実施形態を参照しながら、本発明について詳解してきた。しかしながら、本発明の要旨を逸脱しない範囲で当業者が該実施形態の修正や代用を成し得ることは自明である。
【００６３】
本発明に係るアンテナ装置は、通信距離が波長以下程度の近傍界においても動作することができる。したがって、近接距離での広帯域通信が求められる近年の通信システムにおいて、信号品質の向上・改善などに役立てることができる。
【００６４】
本明細書では、両面プリント基板上に平面アンテナを構成した実施形態を中心に説明してきたが、本発明の要旨はこれに限定されるものではない。例えば、多層基板（導体、誘電体、導体、誘電体など）を用いても、本発明に係るアンテナ装置を構成することができる。導体層には例えば銅や銀などが用いられ、誘電体層には例えばガラスエポキシ樹脂やテフロン（登録商標）などが用いられる。
【００６５】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００６６】
【図１】図１は、静電界若しくは誘導電界による電界結合を利用した非接触通信システムの構成例を示した図である。
【図２】図２は、伝送線路を抽象化して示した図である。
【図３】図３は、各放射素子３０７及び３０８に発生する電圧波の様子を示した図である。
【図４】図４は、図１に示した平面アンテナの等価回路を示した図である。
【図５】図５は、図１に示した平面アンテナを伝送線路として捉えた図である。
【図６】図６は、図１に示した平面アンテナの各部に寸法を与えた図である。
【図７】図７は、図１に示した平面アンテナにおける電波の放射の仕方をシミュレーションした結果を示した図である。
【図８】図８は、図１に示した平面アンテナの通過特性Ｓ２１を示した図である。
【図９】図９は、図１に示した平面アンテナの指向性のグラフを示した図である。
【図１０】図１０は、プリント基板上に形成されたパッチ・アンテナの代表的な構成例（従来技術）を示した図である。
【図１１】図１１は、プリント基板上に形成されたパッチ・アンテナの代表的な構成例（従来技術）を示した図である。
【符号の説明】
【００６７】
３０１…給電線
３０２、３０３…導体（グランド）
３０５、３０６…抵抗
３０７…放射素子（オープン端）
３０８…放射素子（グランド端）
３０９…グランドへのビア
３１０…誘電体（基板）
【図１】
0004968033.tif 000008
【図２】
0004968033.tif 000009
【図３】
0004968033.tif 000010
【図４】
0004968033.tif 000011
【図５】
0004968033.tif 000012
【図６】
0004968033.tif 000013
【図１０】
0004968033.tif 000014
【図１１】
0004968033.tif 000015
【図７】
0004968033.tif 000016
【図８】
0004968033.tif 000017
【図９】
0004968033.tif 000018